(57)【要約】【課題】火災感知器回線を介して、火災受信機と複数の火災感知器が接続され、上記火災感知器がスイッチング動作することによって火災信号を出力し、上記火災受信機が電源電圧よりも高い試験電圧を出力する場合、伝送信号を使用せず、従来のＰ型設備における火災感知器回線を使用し、この回線に接続されている火災感知器を自動点検することができ、したがって、火災感知器回線をリニューアルすることが容易である火災報知設備を提供することを目的とするものである。【解決手段】火災受信機から複数の試験機能付火災感知器を個別に試験させるときに、伝送信号を用いずに、電源電圧よりも高い試験電圧を、火災受信機が送出し、上記試験電圧を受けた火災感知器が、試験結果を出力し、試験結果の出力が終了するまでは、試験電圧を出力せず、試験結果の出力が終了した後に、初めて、上記試験電圧を後段の火災感知器に出力する。【選択図】　図１
2004038649.tif 000002
【特許請求の範囲】
【請求項１】
火災感知器回線を介して、火災受信機と複数の火災感知器とが接続され、上記火災感知器がスイッチング動作することによって火災信号を出力する火災感知器であって、
電源電圧よりも高い試験電圧を検出する試験電圧検出回路と；
上記火災感知器を試験する試験回路と；
上記試験電圧検出回路が上記試験電圧を検出すると、上記試験回路が試験した結果として、上記火災感知器が正常であれば、上記火災感知器の入力端子を所定時間、短絡することによって、火災信号を所定時間、出力する火災信号出力回路と；
上記火災感知器回線が接続される上記火災感知器の入力端子と出力端子との間に設けられ、常時は、電源電圧に抑制し、上記試験回路による上記火災感知器の試験結果が出力された後に解除され、上記試験電圧を出力する電圧抑制回路と；
を有することを特徴とする火災感知器。
【請求項２】
火災感知器回線を介して、火災受信機と複数の火災感知器が接続され、上記火災感知器がスイッチング動作することによって火災信号を出力する火災報知設備において、
上記火災受信機は、
電源電圧よりも高い試験電圧を送出する試験電圧送出回路と；
火災信号を検出する火災検出回路と；
を有し、
上記火災感知器は、
上記試験電圧を検出する試験電圧検出回路と；
上記火災感知器を試験する試験回路と；
上記試験電圧検出回路が上記試験電圧を検出すると、上記試験回路が試験した結果として、上記火災感知器が正常であれば、上記火災感知器の入力端子を所定時間、短絡することによって、火災信号を所定時間、出力する火災信号出力回路と；
上記火災感知器回線が接続される上記火災感知器の入力端子と出力端子との間に設けられ、常時は、電源電圧に抑制し、上記試験回路による上記火災感知器の試験結果が出力された後に解除され、上記試験電圧を出力する電圧抑制回路と；
を有することを特徴とする火災報知設備。
【請求項３】
請求項２において、
上記火災受信機は、複数の火災感知器回線を有するとともに、
上記火災感知器回線毎に、複数の試験電圧送出回路と、複数の火災検出回路とをそれぞれ備え、
上記各火災感知器回線は、コモン線とライン線とを有し、各ライン線は、上記試験電圧送出回路と上記火災検出回路とに接続され、上記各コモン線は、相互に接続され、共通化されていることを特徴とする火災報知設備。
【発明の詳細な説明】
【発明の属する技術分野】
本発明は、火災感知器回線を介して、火災受信機と複数の火災感知器とが接続され、上記火災感知器がスイッチング動作することによって火災信号を出力する火災報知設備に関する。
【従来の技術】
従来のＰ型火災報知設備の自動試験機能では、個々の試験機能付火災感知器に独自のアドレスが付与され、各試験機能付火災感知器に、火災受信機からアドレス指定し、試験機能付火災感知器を個別に試験動作させ、その結果を、火災受信機に返送させている。
【発明が解決しようとする課題】
しかし、上記従来例では、伝送信号を用いるので、従来のＰ型設備における火災感知器回線とは異なり、安定して伝送することができる火災感知器回線を使用することが好ましく、さらに、ノイズの発生源に配慮する必要等、火災感知器回線をリニューアルするには面倒であるという問題がある。
本発明は、火災感知器回線を介して、火災受信機と複数の火災感知器が接続され、上記火災感知器がスイッチング動作することによって火災信号を出力し、上記火災受信機が電源電圧よりも高い試験電圧を出力する場合、伝送信号を使用せず、従来のＰ型設備における火災感知器回線を使用し、この回線に接続されている火災感知器を自動点検することができ、したがって、火災感知器回線をリニューアルすることが容易である火災報知設備を提供することを目的とするものである。
【課題を解決するための手段】
本発明は、火災受信機から複数の試験機能付火災感知器を個別に試験させるときに、伝送信号を用いずに、電源電圧よりも高い試験電圧を、火災受信機が送出し、上記試験電圧を受けた火災感知器が、試験結果を出力し、試験結果の出力が終了するまでは、後段の火災感知器に試験電圧を出力せず、試験結果の出力が終了した後に、初めて、上記試験電圧を出力する。
これによって、試験電圧が、後段の各火災感知器に順次、入力され、順次試験動作を行わせることができる。
【発明の実施の形態および実施例】
図１は、本発明の一実施例である火災受信機ＲＥ１と、複数の火災感知器回線と、複数の試験機能付火災感知器ＳＥとを示すブロック図である。
火災受信機ＲＥ１は、電源部１１と、試験電圧送出回路１２と、火災検出回路１４、断線検出回路１５と、制御回路１６と、メイン制御部１７と、表示操作部１８とを有する。
電源部１１は、電源電圧を、複数の火災感知器回線に送出する。
試験電圧送出回路１２は、試験動作を起動する試験電圧（通常の電源電圧よりも高い電圧）を出力する回路である。
火災受信機ＲＥ１は、火災感知器回線が接続されるコモン端子Ｃと複数のライン端子Ｌ１〜Ｌｎとを備え、複数の試験機能付火災感知器ＳＥが設けられている。これらの端子ＣとＬ１〜Ｌｎとの間で、各回線が構成され、それぞれの端末部分に終端器が配置されている。火災受信機ＲＥ１を構成する回路のうちで、試験電圧送出回路１２と、火災検出回路１４と、断線検出回路１５と、制御回路１６とが、回線毎に配置されている。
各回線において、火災感知器ＳＥへの火災感知器回線の配線は、それぞれ入力側端子ＣＩ、ＬＩと、出力側端子ＣＯ、ＬＯとに区別して、順送りに接続されている。
図２は、上記実施例である試験機能付火災感知器ＳＥの具体的な回路構成例を示すブロック図である。
試験機能付火災感知器ＳＥは、火災感知器回線がそれぞれ接続される入力端子ＣＩ、ＬＩと、出力側の端子ＣＯ、ＬＯと、火災信号出力回路Ｂ１と、定電圧回路Ｂ２と、制御回路Ｂ３と、センサ回路Ｂ４と、試験回路Ｂ５と、試験電圧検出回路Ｂ６と、電圧抑制回路Ｂ７とを有する。
火災信号出力回路Ｂ１は、火災と判別されたときに、制御回路Ｂ３の指令に応じて、端子ＣＩ、ＬＩ間を、略短絡状態である低インピーダンスにスイッチングする回路である。
定電圧回路Ｂ２は、安定した電圧と電流とを供給する回路である。制御回路Ｂ３は、マイコン等によって構成されている。
センサ回路Ｂ４は、火災による熱や煙を検出する回路である。試験回路Ｂ５は、制御回路Ｂ３の制御に基づいて、火災感知器ＳＥを自動試験する回路である。
試験電圧検出回路Ｂ６は、入力端子ＬＩから、試験電圧が入力されたことを検出する回路である。上記試験電圧は、電源電圧よりも高い電圧であって、火災感知器ＳＥの自動試験を行わせる起動信号としての役割を有する電圧である。
電圧抑制回路Ｂ７は、入力端子ＬＩから出力端子ＬＯへ、電源電圧を常時供給しながら、上記試験電圧の出力を抑制し、自動試験機能付火災感知器の試験結果が出力された後に、試験電圧を次の感知器に出力する回路である。
図３は、上記実施例における試験電圧検出回路Ｂ６の具体的な構成を示す回路図である。
試験電圧検出回路Ｂ６は、ツェナーダイオードＺ１を有し、このツェナーダイオードＺ１は、電源電圧と試験電圧との間の電圧をツェナー電圧とするダイオードである。つまり、電源電圧よりも高い電圧が、入力端子ＬＩ、ＣＩに入力されると、試験電圧を受信したと判断し、常時オフしているトランジスタＱ４、Ｑ５をオンさせ、試験電圧が火災感知器ＳＥに入力されたことを示す信号を、制御回路Ｂ３へ出力する。
制御回路Ｂ３は、電源電圧が入力されているときと、試験結果を出力した後とには、電圧抑制回路Ｂ７にハイレベル信号を出力しているが、試験電圧検出回路Ｂ６からの試験電圧の入力を示す信号によって、電圧抑制回路Ｂ７へのハイレベル信号を停止する。
図４は、上記実施例における電圧抑制回路Ｂ７の具体的な構成を示す回路図である。
電圧抑制回路Ｂ７において、電源電圧が火災感知器に印加されている間は、制御回路Ｂ３からのハイレベル信号によって、トランジスタＱ２が常時オンし、入力端子ＬＩから出力端子ＬＯへ、電源電圧がそのまま供給される。
また、試験電圧が入力されてから試験結果が出力されるまでの間は、制御回路Ｂ３からのハイレベル信号がなく、トランジスタＱ２がオフし、トランジスタＱ１と、ほぼ電源電圧をツェナー電圧とするツェナーダイオードＺ２との回路によって、電圧抑制回路Ｂ７の出力端子ＬＯの電圧は、電源電圧を出力する。
そして、試験電圧が火災感知器に入力され、試験結果を出力すると、制御回路Ｂ３は、トランジスタＱ２を再びオンし、電圧抑制回路Ｂ７による電圧出力の抑制を解除し、電源電圧よりも高い電圧である試験電圧を、そのままで出力端子ＬＯから次の火災感知器（後段の火災感知器）の入力端子ＬＩへ出力する。
図５は、上記実施例において、各火災感知器ＳＥにおける自動試験の結果を、火災受信機ＲＥ１が収集する動作を示す図であり、火災受信機ＲＥ１におけるＣ、Ｌ１間の電圧波形と、各火災感知器における入力端子ＣＩ、ＬＩ間の電圧波形を示す図である。
まず、図５に示す時刻ｔ０において、火災受信機ＲＥ１に設けられている電源部１１が電源電圧を出力し、火災受信機ＲＥ１の出力端子Ｃ、Ｌ間の電圧が電源電圧になり、１番目の火災感知器の端子ＣＩ、ＬＩ間の電圧が電源電圧になる。１番目の火災感知器の入力端子ＣＩ、ＬＩ間の電圧が電源電圧になることによって、１番目の火災感知器に設けられているトランジスタＱ２が導通し、１番目の火災感知器の後段に接続されている２番目の火災感知器の入力端子ＣＩ、ＬＩ間の電圧が電源電圧になる。
そして、２番目の火災感知器の入力端子ＣＩ、ＬＩ間の電圧が電源電圧になることによって、２番目の火災感知器に設けられているトランジスタＱ２が導通し、２番目の火災感知器の後段に接続されている３番目の火災感知器の入力端子ＣＩ、ＬＩ間の電圧が電源電圧になる。
上記動作を順次、繰り返すことによって、最終段の火災感知器の入力端子ＣＩ、ＬＩ間の電圧が電源電圧になる。
次に、図５に示す時刻ｔ１において、火災受信機ＲＥ１における試験電圧送出回路１２が、電源電圧よりも高い電圧である試験電圧を発生し、火災受信機ＲＥ１の出力端子Ｃ、Ｌ間が、試験電圧になる。
この試験電圧は、１番目の火災感知器ＳＥの入力端子ＣＩ、ＬＩに入力されるが、２番目以降の火災感知器ＳＥの入力端子ＣＩ、ＬＩには、試験電圧が入力されない。
つまり、１番目の火災感知器ＳＥの入力端子ＣＩ、ＬＩに電源電圧以上の電圧が入力されると、１番目の火災感知器ＳＥに設けられているトランジスタＱ２がオフして、トランジスタＱ１の出力電圧が電源電圧とほぼ同じ程度になるように、ツェナーダイオードＺ２のツェナー電圧が設定されているので、１番目の火災感知器ＳＥの出力端子ＣＯ、ＬＯには、ほぼ電源電圧が出力される。すなわち、この場合、１番目の火災感知器の電圧抑制回路Ｂ７が機能しているので、２番目以降の火災感知器ＳＥの入力端子ＣＩ、ＬＩには、試験電圧が入力されない。
そして、１番目の火災感知器に試験電圧が入力されたことによって、試験電圧検出回路Ｂ６が試験電圧を検出し、この試験電圧検出を契機に、試験回路Ｂ５が試験を開始し、１番目の火災感知器が正常であれば、センサ回路Ｂ４が火災を検出し、火災信号出力回路Ｂ１が、時刻ｔ２において、入力端子ＣＩ、ＬＩを略短絡状態にすることによって、火災信号を発生する。所定時間、この略短絡状態（火災信号の発生）が維持される。
この火災信号発生によって、入力端子ＣＩ、ＬＩ間が０Ｖに近くなり（火災感知器ＳＥが動作状態を継続できる程度の電圧としての所定の残り電圧を残す）、１番目の火災感知器の試験結果が正常であることを火災受信機ＲＥ１が認識する。
もし、１番目の火災感知器が正常でなければ、火災信号を発生せず、上記所定時間、電源電圧を出力し、待機する。なお、試験電圧入力後に、短時間で火災感知器の機能試験動作を行ってもよいが、常時の作動中にレベル異常等を判別するようにし、異常の発生有無を試験結果とし、正常か異常かを区別してもよい。
１番目の火災感知器は、上記火災信号を送出した後に、時刻ｔ３において、制御回路Ｂ３が、火災信号出力回路Ｂ１を略短絡状態から開放状態に移行させ、また、制御回路Ｂ３がトランジスタＱ３をオンさせて、トランジスタＱ２もオンさせるので、１番目の火災感知器の出力端子ＣＯ、ＬＯの電圧が試験電圧になる。つまり、この場合、電圧抑制回路Ｂ７が電圧抑制を解除し、２番目の火災感知器の入力端子ＣＩ、ＬＩ間に、試験電圧が送られる。
この場合、２番目の火災感知器において試験が終了していないので、２番目の火災感知器において、制御回路Ｂ３が、トランジスタＱ３をオンさせないので、トランジスタＱ２がオフであり（トランジスタＱ１およびツェナーダイオードＺ２等による定電圧回路によって、電源電圧を出力し）、したがって、２番目の火災感知器の入力端子ＣＩ、ＬＩに試験電圧が印加されていても、２番目の火災感知器の出力端子ＣＯ、ＬＯには、試験電圧が出力されず、電源電圧のみが出力されている。すなわち、電圧抑制回路Ｂ７が電圧抑制している。
次に、試験電圧を検出した２番目の火災感知器ＳＥは、時刻ｔ４において、１番目の火災感知器ＳＥと同様に試験動作を実行し、２番目の火災感知器が正常であれば、所定時間、火災信号を発生し、火災受信機ＲＥ１の出力端子Ｃ、Ｌ１間の電圧が０Ｖに近くなる。
この火災信号発生によって、入力端子ＣＩ、ＬＩ間が０Ｖに近くなり、２番目の火災感知器の試験結果が正常であることを火災受信機ＲＥ１が認識する。
そして、時刻ｔ５において、２番目の火災感知器は、制御回路Ｂ３が、火災信号出力回路Ｂ１を短絡状態から開放状態に移行させ、また、制御回路Ｂ３がトランジスタＱ３をオンさせるので、トランジスタＱ２もオンし、２番目の火災感知器の出力端子ＣＯ、ＬＯの電圧が試験電圧になる。つまり、この場合、電圧抑制回路Ｂ７が電圧抑制を解除し、３番目の火災感知器の入力端子ＣＩ、ＬＩ間に、試験電圧が送られる。
この場合、３番目の火災感知器において試験が終了していないので、３番目の火災感知器において、制御回路Ｂ３が、トランジスタＱ３をオンさせないので、トランジスタＱ２がオフであり（トランジスタＱ１は導通し、電源電圧を出力し）、したがって、３番目の火災感知器の入力端子ＣＩ、ＬＩに試験電圧が印加されていても、３番目の火災感知器の出力端子ＣＯ、ＬＯには、試験電圧が出力されず、電源電圧のみが出力されている。すなわち、電圧抑制回路Ｂ７が電圧抑制している。
その後、時刻ｔ６において、３番目の火災感知器が、上記と同様に火災試験を実行し、３番目の火災感知器が正常であれば、火災信号を発生し、火災受信機ＲＥ１の出力端子Ｃ、Ｌ１間の電圧が０Ｖ近辺になる。
この火災信号発生によって、入力端子ＣＩ、ＬＩ間が０Ｖ近辺になり、３番目の火災感知器の試験結果が正常であることを火災受信機ＲＥ１が認識する。
火災受信機ＲＥ１は、試験電圧送出回路１２が試験電圧を出力した後に、図５に示すように、所定のタイミングで、火災信号が、所定時間継続するので、火災受信機ＲＥ１が、上記火災信号を検出することができ、したがって、各火災感知器ＳＥが正常であることを確認することができる。
上記のような火災感知器ＳＥは、所定時間の火災信号による試験結果を出力すべきタイミングにおいて、後段の火災感知器に試験電圧を出力する。その後、後段の火災感知器から、所定時間の火災信号が発生することによって、端子ＣＩ、ＬＩ間の電圧も低下し、試験電圧検出回路Ｂ６は、所定時間オフされる。
ここで、制御回路Ｂ３は、火災受信機ＲＥ１からの試験電圧の停止を判断するために、試験電圧検出回路Ｂ６のオンから後において上記所定時間を超える試験電圧検出回路Ｂ６のオフ状態の継続によって、試験電圧の停止を判断する。そして、制御回路Ｂ３は、火災受信機ＲＥ１からの試験電圧停止に基づいて、電圧抑制回路Ｂ７へのハイレベル信号出力を停止し、通常の状態に戻る。
また、火災受信機ＲＥ１は、感知器回線毎に試験機能付火災感知器ＳＥの個数が設定され、試験電圧送出回路１２が試験電圧を出力している期間は、各火災感知器ＳＥから試験結果が出力されるのに必要な時間が算出され、その時間を計測することによって、試験電圧の出力を停止する。
そして、火災受信機ＲＥ１では、所定時間の火災信号の個数を計数し、この計数された個数が、予め設定されている火災感知器ＳＥの個数と同じであれば、各火災感知器ＳＥから正常状態を示す信号を受け取ったと判断し、正常終了する。一方、個数が同一でなければ、異常である火災感知器ＳＥが存在すると判断し、図示しない表示部に、異常状態を表示する等して、異常終了する。
なお、制御回路１６が、各端子Ｃ、Ｌ１〜Ｌｎ間の試験電圧によって感知器を試験するが、感知器回線毎に上記試験を行うように、メイン制御部１７が、試験タイミングを制御する。つまり、複数の火災感知器から同時に火災信号を発生しないようにすれば、各火災感知器回線が電源兼信号線として電圧の安定性を阻害されない。
上記実施例においては、スイッチング動作によって火災信号を出力する火災感知器を具備する火災報知設備において、伝送信号を使用せず、従来のＰ型設備における火災感知器回線を使用し、この回線に接続されている試験機能付火災感知器を自動点検することができ、したがって、リニューアルすることが容易である。
そして、火災感知器の接続数または接続可能上限数だけの動作時間が経過した後に、火災受信機ＲＥ１が、試験電圧の出力を解除する。
つまり、上記実施例は、火災受信機ＲＥ１から複数の火災感知器へ一斉パルスを送ることによって複数の火災感知器を同時に試験するのではなく、Ｐ型が送り配線である点を利用し、試験電圧を順送りに伝達し、火災感知器を順次試験する実施例である。
従来のＰ型火災報知設備の自動試験機能では、火災受信機が、個々の試験機能付火災感知器をアドレス指定し、個別に試験動作させ、その結果を返送させる。これに対して、上記実施例では、伝送信号を用いない順送り方式とし、火災受信機ＲＥ１から、電源電圧よりも高い試験電圧を送出する方式である。
つまり、上記実施例において、試験機能付火災感知器ＳＥは、電源電圧よりも高い電圧である試験電圧の入力に応じて試験動作し、正常であれば、スイッチング動作をパルス的に行う。試験機能付火災感知器は、Ｌ線の入出力端子が決まっており、入力側から出力側に向かっては、常時電源電圧を送出するが、試験電圧の送出を制限する。つまり、試験電圧が入力され、試験動作が完了した後に、上記制限を解除し、この解除によって、次段の試験機能付火災感知器に試験電圧を送る。これを繰り返して順送りさせる。
上記実施例によれば、電圧上昇等の電気的変化を試験電圧とし、この試験電圧を試験機能付火災感知器毎に順送りし、順次、試験機能付火災感知器を点検し、この点検結果として所定時間、スイッチング動作させるものである。上記のように、電気的変化によって状態を検出し、伝送信号を用いないので、火災報知設備を構成する機器の構成が簡易である。
【発明の効果】
本発明によれば、火災感知器回線を介して、火災受信機と複数の試験機能付火災感知器とが接続され、上記試験機能付火災感知器がスイッチング動作することによって火災信号を出力し、上記火災受信機が電源電圧よりも高い試験電圧を出力する場合、伝送信号を使用せず、従来のＰ型設備における火災感知器回線を使用し、この回線に接続されている試験機能付火災感知器を自動点検することができ、したがって、火災感知器回線をリニューアルすることが容易であるという効果を奏する。
また、本発明によれば、火災受信機が、火災感知器回線のライン線とコモン線とに接続され、各火災感知器回線のライン線は、試験電圧送出回路と火災検出回路とに接続され、コモン線は、相互に接続され、共通化されていることによって、コモン線を配線し易いとともに、従来のＰ型の火災報知設備の配線と同様であるので、リニューアルに対応しやすいという効果を奏する。
【図面の簡単な説明】
【図１】本発明の一実施例である火災受信機ＲＥ１と、複数の火災感知器回線と、複数の火災感知器ＳＥとを示すブロック図である。
【図２】上記実施例である火災感知器ＳＥの具体的な回路構成例を示すブロック図である。
【図３】上記実施例における試験電圧検出回路Ｂ６の具体例を示す回路図である。
【図４】上記実施例における電圧抑制回路Ｂ７の具体例を示す回路図である。
【図５】上記実施例において、各火災感知器ＳＥにおける自動試験の結果を、火災受信機ＲＥ１が収集する動作を示す図であり、火災受信機ＲＥ１におけるＣ、Ｌ１間の電圧波形と、各火災感知器における入力端子ＣＩ、ＬＩ間の電圧波形を示す図である。
【符号の説明】
ＲＥ１…火災受信機、
１１…電源部、
１２…試験電圧送出回路、
１４…火災検出部、
ＳＥ…試験機能付火災感知器、
Ｂ１…火災信号出力回路、
Ｂ３…制御回路、
Ｂ４…センサ回路、
Ｂ５…試験回路、
Ｂ６…試験電圧検出回路、
Ｂ７…電圧抑制回路。
【図１】
2004038649.tif 000003
【図２】
2004038649.tif 000004
【図３】
2004038649.tif 000005
【図４】
2004038649.tif 000006
【図５】
2004038649.tif 000007
【手続補正書】
【提出日】平成14年7月9日(2002.7.9)
【手続補正１】
【補正対象書類名】明細書
【補正対象項目名】全文
【補正方法】変更
【補正の内容】
【発明の詳細な説明】
【特許請求の範囲】
【請求項１】火災感知器回線を介して、火災受信機と複数の火災感知器とが接続され、上記火災感知器がスイッチング動作することによって火災信号を出力する火災感知器であって、
電源電圧よりも高い試験電圧を検出する試験電圧検出回路と；
上記火災感知器を試験する試験回路と；
上記試験電圧検出回路が上記試験電圧を検出すると、上記試験回路が試験した結果として、上記火災感知器が正常であれば、上記火災感知器の入力端子を所定時間、短絡することによって、火災信号を所定時間、出力する火災信号出力回路と；
上記火災感知器回線が接続される上記火災感知器の入力端子と出力端子との間に設けられ、常時は、電源電圧に抑制し、上記試験回路による上記火災感知器の試験結果が出力された後に解除され、上記試験電圧を出力する電圧抑制回路と；
を有することを特徴とする火災感知器。
【請求項２】火災感知器回線を介して、火災受信機と複数の火災感知器が接続され、上記火災感知器がスイッチング動作することによって火災信号を出力する火災報知設備において、
上記火災受信機は、
電源電圧よりも高い試験電圧を送出する試験電圧送出回路と；
火災信号を検出する火災検出回路と；
を有し、
上記火災感知器は、
上記試験電圧を検出する試験電圧検出回路と；
上記火災感知器を試験する試験回路と；
上記試験電圧検出回路が上記試験電圧を検出すると、上記試験回路が試験した結果として、上記火災感知器が正常であれば、上記火災感知器の入力端子を所定時間、短絡することによって、火災信号を所定時間、出力する火災信号出力回路と；
上記火災感知器回線が接続される上記火災感知器の入力端子と出力端子との間に設けられ、常時は、電源電圧に抑制し、上記試験回路による上記火災感知器の試験結果が出力された後に解除され、上記試験電圧を出力する電圧抑制回路と；
を有することを特徴とする火災報知設備。
【請求項３】請求項２において、
上記火災受信機は、複数の火災感知器回線を有するとともに、
上記火災感知器回線毎に、複数の試験電圧送出回路と、複数の火災検出回路とをそれぞれ備え、
上記各火災感知器回線は、コモン線とライン線とを有し、各ライン線は、上記試験電圧送出回路と上記火災検出回路とに接続され、上記各コモン線は、相互に接続され、共通化されていることを特徴とする火災報知設備。
【発明の詳細な説明】
【０００１】
【発明の属する技術分野】
本発明は、火災感知器回線を介して、火災受信機と複数の火災感知器とが接続され、上記火災感知器がスイッチング動作することによって火災信号を出力する火災報知設備に関する。
【０００２】
【従来の技術】
従来のＰ型火災報知設備の自動試験機能では、個々の試験機能付火災感知器に独自のアドレスが付与され、各試験機能付火災感知器に、火災受信機からアドレス指定し、試験機能付火災感知器を個別に試験動作させ、その結果を、火災受信機に返送させている。
【０００３】
【発明が解決しようとする課題】
しかし、上記従来例では、伝送信号を用いるので、従来のＰ型設備における火災感知器回線とは異なり、安定して伝送することができる火災感知器回線を使用することが好ましく、さらに、ノイズの発生源に配慮する必要等、火災感知器回線をリニューアルするには面倒であるという問題がある。
【０００４】
本発明は、火災感知器回線を介して、火災受信機と複数の火災感知器が接続され、上記火災感知器がスイッチング動作することによって火災信号を出力し、上記火災受信機が電源電圧よりも高い試験電圧を出力する場合、伝送信号を使用せず、従来のＰ型設備における火災感知器回線を使用し、この回線に接続されている火災感知器を自動点検することができ、したがって、火災感知器回線をリニューアルすることが容易である火災報知設備を提供することを目的とするものである。
【０００５】
【課題を解決するための手段】
本発明は、火災受信機から複数の試験機能付火災感知器を個別に試験させるときに、伝送信号を用いずに、電源電圧よりも高い試験電圧を、火災受信機が送出し、上記試験電圧を受けた火災感知器が、試験結果を出力し、試験結果の出力が終了するまでは、後段の火災感知器に試験電圧を出力せず、試験結果の出力が終了した後に、初めて、上記試験電圧を出力する。
【０００６】
これによって、試験電圧が、後段の各火災感知器に順次、入力され、順次試験動作を行わせることができる。
【０００７】
【発明の実施の形態および実施例】
図１は、本発明の一実施例である火災受信機ＲＥ１と、複数の火災感知器回線と、複数の試験機能付火災感知器ＳＥとを示すブロック図である。
【０００８】
火災受信機ＲＥ１は、電源部１１と、試験電圧送出回路１２と、火災検出回路１４、断線検出回路１５と、制御回路１６と、メイン制御部１７と、表示操作部１８とを有する。
【０００９】
電源部１１は、電源電圧を、複数の火災感知器回線に送出する。
【００１０】
試験電圧送出回路１２は、試験動作を起動する試験電圧（通常の電源電圧よりも高い電圧）を出力する回路である。
【００１１】
火災受信機ＲＥ１は、火災感知器回線が接続されるコモン端子Ｃと複数のライン端子Ｌ１〜Ｌｎとを備え、複数の試験機能付火災感知器ＳＥが設けられている。これらの端子ＣとＬ１〜Ｌｎとの間で、各回線が構成され、それぞれの端末部分に終端器が配置されている。火災受信機ＲＥ１を構成する回路のうちで、試験電圧送出回路１２と、火災検出回路１４と、断線検出回路１５と、制御回路１６とが、回線毎に配置されている。
【００１２】
各回線において、火災感知器ＳＥへの火災感知器回線の配線は、それぞれ入力側端子ＣＩ、ＬＩと、出力側端子ＣＯ、ＬＯとに区別して、順送りに接続されている。
【００１３】
図２は、上記実施例である試験機能付火災感知器ＳＥの具体的な回路構成例を示すブロック図である。
【００１４】
試験機能付火災感知器ＳＥは、火災感知器回線がそれぞれ接続される入力端子ＣＩ、ＬＩと、出力側の端子ＣＯ、ＬＯと、火災信号出力回路Ｂ１と、定電圧回路Ｂ２と、制御回路Ｂ３と、センサ回路Ｂ４と、試験回路Ｂ５と、試験電圧検出回路Ｂ６と、電圧抑制回路Ｂ７とを有する。
【００１５】
火災信号出力回路Ｂ１は、火災と判別されたときに、制御回路Ｂ３の指令に応じて、端子ＣＩ、ＬＩ間を、略短絡状態である低インピーダンスにスイッチングする回路である。
【００１６】
定電圧回路Ｂ２は、安定した電圧と電流とを供給する回路である。制御回路Ｂ３は、マイコン等によって構成されている。
【００１７】
センサ回路Ｂ４は、火災による熱や煙を検出する回路である。試験回路Ｂ５は、制御回路Ｂ３の制御に基づいて、火災感知器ＳＥを自動試験する回路である。
【００１８】
試験電圧検出回路Ｂ６は、入力端子ＬＩから、試験電圧が入力されたことを検出する回路である。上記試験電圧は、電源電圧よりも高い電圧であって、火災感知器ＳＥの自動試験を行わせる起動信号としての役割を有する電圧である。
【００１９】
電圧抑制回路Ｂ７は、入力端子ＬＩから出力端子ＬＯへ、電源電圧を常時供給しながら、上記試験電圧の出力を抑制し、自動試験機能付火災感知器の試験結果が出力された後に、試験電圧を次の感知器に出力する回路である。
【００２０】
図３は、上記実施例における試験電圧検出回路Ｂ６の具体的な構成を示す回路図である。
【００２１】
試験電圧検出回路Ｂ６は、ツェナーダイオードＺ１を有し、このツェナーダイオードＺ１は、電源電圧と試験電圧との間の電圧をツェナー電圧とするダイオードである。つまり、電源電圧よりも高い電圧が、入力端子ＬＩ、ＣＩに入力されると、試験電圧を受信したと判断し、常時オフしているトランジスタＱ４、Ｑ５をオンさせ、試験電圧が火災感知器ＳＥに入力されたことを示す信号を、制御回路Ｂ３へ出力する。
【００２２】
制御回路Ｂ３は、電源電圧が入力されているときと、試験結果を出力した後とには、電圧抑制回路Ｂ７にハイレベル信号を出力しているが、試験電圧検出回路Ｂ６からの試験電圧の入力を示す信号によって、電圧抑制回路Ｂ７へのハイレベル信号を停止する。
【００２３】
図４は、上記実施例における電圧抑制回路Ｂ７の具体的な構成を示す回路図である。
【００２４】
電圧抑制回路Ｂ７において、電源電圧が火災感知器に印加されている間は、制御回路Ｂ３からのハイレベル信号によって、トランジスタＱ２が常時オンし、入力端子ＬＩから出力端子ＬＯへ、電源電圧がそのまま供給される。
【００２５】
また、試験電圧が入力されてから試験結果が出力されるまでの間は、制御回路Ｂ３からのハイレベル信号がなく、トランジスタＱ２がオフし、トランジスタＱ１と、ほぼ電源電圧をツェナー電圧とするツェナーダイオードＺ２との回路によって、電圧抑制回路Ｂ７の出力端子ＬＯの電圧は、電源電圧を出力する。
【００２６】
そして、試験電圧が火災感知器に入力され、試験結果を出力すると、制御回路Ｂ３は、トランジスタＱ２を再びオンし、電圧抑制回路Ｂ７による電圧出力の抑制を解除し、電源電圧よりも高い電圧である試験電圧を、そのままで出力端子ＬＯから次の火災感知器（後段の火災感知器）の入力端子ＬＩへ出力する。
【００２７】
図５は、上記実施例において、各火災感知器ＳＥにおける自動試験の結果を、火災受信機ＲＥ１が収集する動作を示す図であり、火災受信機ＲＥ１におけるＣ、Ｌ１間の電圧波形と、各火災感知器における入力端子ＣＩ、ＬＩ間の電圧波形を示す図である。
【００２８】
まず、図５に示す時刻ｔ０において、火災受信機ＲＥ１に設けられている電源部１１が電源電圧を出力し、火災受信機ＲＥ１の出力端子Ｃ、Ｌ間の電圧が電源電圧になり、１番目の火災感知器の端子ＣＩ、ＬＩ間の電圧が電源電圧になる。
【００２９】
１番目の火災感知器の入力端子ＣＩ、ＬＩ間の電圧が電源電圧になることによって、１番目の火災感知器に設けられているトランジスタＱ２が導通し、１番目の火災感知器の後段に接続されている２番目の火災感知器の入力端子ＣＩ、ＬＩ間の電圧が電源電圧になる。
【００３０】
そして、２番目の火災感知器の入力端子ＣＩ、ＬＩ間の電圧が電源電圧になることによって、２番目の火災感知器に設けられているトランジスタＱ２が導通し、２番目の火災感知器の後段に接続されている３番目の火災感知器の入力端子ＣＩ、ＬＩ間の電圧が電源電圧になる。
【００３１】
上記動作を順次、繰り返すことによって、最終段の火災感知器の入力端子ＣＩ、ＬＩ間の電圧が電源電圧になる。
【００３２】
次に、図５に示す時刻ｔ１において、火災受信機ＲＥ１における試験電圧送出回路１２が、電源電圧よりも高い電圧である試験電圧を発生し、火災受信機ＲＥ１の出力端子Ｃ、Ｌ間が、試験電圧になる。
【００３３】
この試験電圧は、１番目の火災感知器ＳＥの入力端子ＣＩ、ＬＩに入力されるが、２番目以降の火災感知器ＳＥの入力端子ＣＩ、ＬＩには、試験電圧が入力されない。
【００３４】
つまり、１番目の火災感知器ＳＥの入力端子ＣＩ、ＬＩに電源電圧以上の電圧が入力されると、１番目の火災感知器ＳＥに設けられているトランジスタＱ２がオフして、トランジスタＱ１の出力電圧が電源電圧とほぼ同じ程度になるように、ツェナーダイオードＺ２のツェナー電圧が設定されているので、１番目の火災感知器ＳＥの出力端子ＣＯ、ＬＯには、ほぼ電源電圧が出力される。すなわち、この場合、１番目の火災感知器の電圧抑制回路Ｂ７が機能しているので、２番目以降の火災感知器ＳＥの入力端子ＣＩ、ＬＩには、試験電圧が入力されない。
【００３５】
そして、１番目の火災感知器に試験電圧が入力されたことによって、試験電圧検出回路Ｂ６が試験電圧を検出し、この試験電圧検出を契機に、試験回路Ｂ５が試験を開始し、１番目の火災感知器が正常であれば、センサ回路Ｂ４が火災を検出し、火災信号出力回路Ｂ１が、時刻ｔ２において、入力端子ＣＩ、ＬＩを略短絡状態にすることによって、火災信号を発生する。所定時間、この略短絡状態（火災信号の発生）が維持される。
【００３６】
この火災信号発生によって、入力端子ＣＩ、ＬＩ間が０Ｖに近くなり（火災感知器ＳＥが動作状態を継続できる程度の電圧としての所定の残り電圧を残す）、１番目の火災感知器の試験結果が正常であることを火災受信機ＲＥ１が認識する。
【００３７】
もし、１番目の火災感知器が正常でなければ、火災信号を発生せず、上記所定時間、電源電圧を出力し、待機する。なお、試験電圧入力後に、短時間で火災感知器の機能試験動作を行ってもよいが、常時の作動中にレベル異常等を判別するようにし、異常の発生有無を試験結果とし、正常か異常かを区別してもよい。
【００３８】
１番目の火災感知器は、上記火災信号を送出した後に、時刻ｔ３において、制御回路Ｂ３が、火災信号出力回路Ｂ１を略短絡状態から開放状態に移行させ、また、制御回路Ｂ３がトランジスタＱ３をオンさせて、トランジスタＱ２もオンさせるので、１番目の火災感知器の出力端子ＣＯ、ＬＯの電圧が試験電圧になる。つまり、この場合、電圧抑制回路Ｂ７が電圧抑制を解除し、２番目の火災感知器の入力端子ＣＩ、ＬＩ間に、試験電圧が送られる。
【００３９】
この場合、２番目の火災感知器において試験が終了していないので、２番目の火災感知器において、制御回路Ｂ３が、トランジスタＱ３をオンさせないので、トランジスタＱ２がオフであり（トランジスタＱ１およびツェナーダイオードＺ２等による定電圧回路によって、電源電圧を出力し）、したがって、２番目の火災感知器の入力端子ＣＩ、ＬＩに試験電圧が印加されていても、２番目の火災感知器の出力端子ＣＯ、ＬＯには、試験電圧が出力されず、電源電圧のみが出力されている。すなわち、電圧抑制回路Ｂ７が電圧抑制している。
【００４０】
次に、試験電圧を検出した２番目の火災感知器ＳＥは、時刻ｔ４において、１番目の火災感知器ＳＥと同様に試験動作を実行し、２番目の火災感知器が正常であれば、所定時間、火災信号を発生し、火災受信機ＲＥ１の出力端子Ｃ、Ｌ１間の電圧が０Ｖに近くなる。
【００４１】
この火災信号発生によって、入力端子ＣＩ、ＬＩ間が０Ｖに近くなり、２番目の火災感知器の試験結果が正常であることを火災受信機ＲＥ１が認識する。
【００４２】
そして、時刻ｔ５において、２番目の火災感知器は、制御回路Ｂ３が、火災信号出力回路Ｂ１を短絡状態から開放状態に移行させ、また、制御回路Ｂ３がトランジスタＱ３をオンさせるので、トランジスタＱ２もオンし、２番目の火災感知器の出力端子ＣＯ、ＬＯの電圧が試験電圧になる。つまり、この場合、電圧抑制回路Ｂ７が電圧抑制を解除し、３番目の火災感知器の入力端子ＣＩ、ＬＩ間に、試験電圧が送られる。
【００４３】
この場合、３番目の火災感知器において試験が終了していないので、３番目の火災感知器において、制御回路Ｂ３が、トランジスタＱ３をオンさせないので、トランジスタＱ２がオフであり（トランジスタＱ１は導通し、電源電圧を出力し）、したがって、３番目の火災感知器の入力端子ＣＩ、ＬＩに試験電圧が印加されていても、３番目の火災感知器の出力端子ＣＯ、ＬＯには、試験電圧が出力されず、電源電圧のみが出力されている。すなわち、電圧抑制回路Ｂ７が電圧抑制している。
【００４４】
その後、時刻ｔ６において、３番目の火災感知器が、上記と同様に火災試験を実行し、３番目の火災感知器が正常であれば、火災信号を発生し、火災受信機ＲＥ１の出力端子Ｃ、Ｌ１間の電圧が０Ｖ近辺になる。
【００４５】
この火災信号発生によって、入力端子ＣＩ、ＬＩ間が０Ｖ近辺になり、３番目の火災感知器の試験結果が正常であることを火災受信機ＲＥ１が認識する。
【００４６】
火災受信機ＲＥ１は、試験電圧送出回路１２が試験電圧を出力した後に、図５に示すように、所定のタイミングで、火災信号が、所定時間継続するので、火災受信機ＲＥ１が、上記火災信号を検出することができ、したがって、各火災感知器ＳＥが正常であることを確認することができる。
【００４７】
上記のような火災感知器ＳＥは、所定時間の火災信号による試験結果を出力すべきタイミングにおいて、後段の火災感知器に試験電圧を出力する。その後、後段の火災感知器から、所定時間の火災信号が発生することによって、端子ＣＩ、ＬＩ間の電圧も低下し、試験電圧検出回路Ｂ６は、所定時間オフされる。
【００４８】
ここで、制御回路Ｂ３は、火災受信機ＲＥ１からの試験電圧の停止を判断するために、試験電圧検出回路Ｂ６のオンから後において上記所定時間を超える試験電圧検出回路Ｂ６のオフ状態の継続によって、試験電圧の停止を判断する。そして、制御回路Ｂ３は、火災受信機ＲＥ１からの試験電圧停止に基づいて、電圧抑制回路Ｂ７へのハイレベル信号出力を停止し、通常の状態に戻る。
【００４９】
また、火災受信機ＲＥ１は、感知器回線毎に試験機能付火災感知器ＳＥの個数が設定され、試験電圧送出回路１２が試験電圧を出力している期間は、各火災感知器ＳＥから試験結果が出力されるのに必要な時間が算出され、その時間を計測することによって、試験電圧の出力を停止する。
【００５０】
そして、火災受信機ＲＥ１では、所定時間の火災信号の個数を計数し、この計数された個数が、予め設定されている火災感知器ＳＥの個数と同じであれば、各火災感知器ＳＥから正常状態を示す信号を受け取ったと判断し、正常終了する。一方、個数が同一でなければ、異常である火災感知器ＳＥが存在すると判断し、図示しない表示部に、異常状態を表示する等して、異常終了する。
【００５１】
なお、制御回路１６が、各端子Ｃ、Ｌ１〜Ｌｎ間の試験電圧によって感知器を試験するが、感知器回線毎に上記試験を行うように、メイン制御部１７が、試験タイミングを制御する。つまり、複数の火災感知器から同時に火災信号を発生しないようにすれば、各火災感知器回線が電源兼信号線として電圧の安定性を阻害されない。
【００５２】
上記実施例においては、スイッチング動作によって火災信号を出力する火災感知器を具備する火災報知設備において、伝送信号を使用せず、従来のＰ型設備における火災感知器回線を使用し、この回線に接続されている試験機能付火災感知器を自動点検することができ、したがって、リニューアルすることが容易である。
【００５３】
そして、火災感知器の接続数または接続可能上限数だけの動作時間が経過した後に、火災受信機ＲＥ１が、試験電圧の出力を解除する。
【００５４】
つまり、上記実施例は、火災受信機ＲＥ１から複数の火災感知器へ一斉パルスを送ることによって複数の火災感知器を同時に試験するのではなく、Ｐ型が送り配線である点を利用し、試験電圧を順送りに伝達し、火災感知器を順次試験する実施例である。
【００５５】
従来のＰ型火災報知設備の自動試験機能では、火災受信機が、個々の試験機能付火災感知器をアドレス指定し、個別に試験動作させ、その結果を返送させる。これに対して、上記実施例では、伝送信号を用いない順送り方式とし、火災受信機ＲＥ１から、電源電圧よりも高い試験電圧を送出する方式である。
【００５６】
つまり、上記実施例において、試験機能付火災感知器ＳＥは、電源電圧よりも高い電圧である試験電圧の入力に応じて試験動作し、正常であれば、スイッチング動作をパルス的に行う。試験機能付火災感知器は、Ｌ線の入出力端子が決まっており、入力側から出力側に向かっては、常時電源電圧を送出するが、試験電圧の送出を制限する。つまり、試験電圧が入力され、試験動作が完了した後に、上記制限を解除し、この解除によって、次段の試験機能付火災感知器に試験電圧を送る。これを繰り返して順送りさせる。
【００５７】
上記実施例によれば、電圧上昇等の電気的変化を試験電圧とし、この試験電圧を試験機能付火災感知器毎に順送りし、順次、試験機能付火災感知器を点検し、この点検結果として所定時間、スイッチング動作させるものである。上記のように、電気的変化によって状態を検出し、伝送信号を用いないので、火災報知設備を構成する機器の構成が簡易である。
【００５８】
【発明の効果】
本発明によれば、火災感知器回線を介して、火災受信機と複数の試験機能付火災感知器とが接続され、上記試験機能付火災感知器がスイッチング動作することによって火災信号を出力し、上記火災受信機が電源電圧よりも高い試験電圧を出力する場合、伝送信号を使用せず、従来のＰ型設備における火災感知器回線を使用し、この回線に接続されている試験機能付火災感知器を自動点検することができ、したがって、火災感知器回線をリニューアルすることが容易であるという効果を奏する。
【００５９】
また、本発明によれば、火災受信機が、火災感知器回線のライン線とコモン線とに接続され、各火災感知器回線のライン線は、試験電圧送出回路と火災検出回路とに接続され、コモン線は、相互に接続され、共通化されていることによって、コモン線を配線し易いとともに、従来のＰ型の火災報知設備の配線と同様であるので、リニューアルに対応しやすいという効果を奏する。
【図面の簡単な説明】
【図１】本発明の一実施例である火災受信機ＲＥ１と、複数の火災感知器回線と、複数の火災感知器ＳＥとを示すブロック図である。
【図２】上記実施例である火災感知器ＳＥの具体的な回路構成例を示すブロック図である。
【図３】上記実施例における試験電圧検出回路Ｂ６の具体例を示す回路図である。
【図４】上記実施例における電圧抑制回路Ｂ７の具体例を示す回路図である。
【図５】上記実施例において、各火災感知器ＳＥにおける自動試験の結果を、火災受信機ＲＥ１が収集する動作を示す図であり、火災受信機ＲＥ１におけるＣ、Ｌ１間の電圧波形と、各火災感知器における入力端子ＣＩ、ＬＩ間の電圧波形を示す図である。
【符号の説明】
ＲＥ１…火災受信機、
１１…電源部、
１２…試験電圧送出回路、
１４…火災検出部、
ＳＥ…試験機能付火災感知器、
Ｂ１…火災信号出力回路、
Ｂ３…制御回路、
Ｂ４…センサ回路、
Ｂ５…試験回路、
Ｂ６…試験電圧検出回路、
Ｂ７…電圧抑制回路。